(57)【要約】      （修正有）【課題】丈夫で再使用が可能な防虫カバーを提供する。【解決手段】イチジクＡの果実に被着して、アザミウマによる被害を防ぐイチジク用の防虫カバー１であって、編地、又は織地からなり上下の両端が開口した筒状をなす筒状部１０と、筒状部１０の上下の一端の開口を封止する袋底１２と、筒状部１０の上下の他端の開口１０ｂからなる挿入口１１とを備える。【選択図】図１
2019180313.tif 000002
【特許請求の範囲】
【請求項１】
イチジクの果実に被着して、アザミウマによる被害を防ぐイチジク用の防虫カバーであって、
編地、又は織地からなり上下の両端が開口した筒状をなす筒状部と、
前記筒状部の上下の一端の開口を封止する袋底と、
前記筒状部の上下の他端の開口からなる挿入口と
を備えることを特徴とする防虫カバー。
【請求項２】
前記筒状部は、前記挿入口に沿って周回状に設けられる、隣接する部分より伸縮性の高い線状又は帯状の口ゴム部を備える請求項１に記載の防虫カバー。
【請求項３】
前記筒状部は、弾性糸を用いた編地．又は織地により形成されている請求項１、又は請求項２のいずれか１項に記載の防虫カバー。
【請求項４】
前記袋底は、周辺の編地、又は織地の伸びを拘束する拘束手段を有する請求項３に記載の防虫カバー。
【請求項５】
前記袋底は、前記筒状部の一方の端部が周方向に捻られて前記他方の端部側へ折り返された状態で前記筒状部の中間部分に連結されてなる請求項１から請求項３のいずれか１項に記載の防虫カバー。
【請求項６】
請求項１から請求項５のいずれか１項に記載の防虫カバーと、
前記防虫カバーの挿入口を閉じる閉じ具と
を備え、
前記閉じ具は、紐を２つ折り、又は無端輪状に設けた閉じ紐と、輪状、又は筒状の固定具とを有し、
前記閉じ紐は、折返し部で折返した２本の紐を密着させた状態で前記固定具に挿通されており、
前記固定具は、前記２本の紐に沿って摺動可能に構成されている閉じ具付防虫カバー。
【請求項７】
イチジクの果実に防虫カバーを被着して、アザミウマによる被害を防ぐイチジクの防虫方法であって、
弾性糸を用いた編地、又は織地により上下の両端が開口した筒状に形成された筒状部の上下の一端の開口を封止して袋底とし上下の他端の開口を挿入口とするとともに、被着対象のイチジクの外径より内径の小さな防虫カバーを、前記袋底を前記イチジクの底部から離して前記イチジクに被着することを特徴とするイチジクの防虫方法。
【請求項８】
イチジクの果実に防虫カバーを被着して、アザミウマによる被害を防ぐイチジクの防虫方法であって、
弾性糸を用いた編地、又は織地により上下の両端が開口した筒状に形成されるとともに被着対象のイチジクの外径より内径の小さな筒状部を、上下の一端側から前記イチジクに被せて、前記筒状部の上下の他端側をイチジクの底部から離間した位置で封止することを特徴とするイチジクの防虫方法。
【発明の詳細な説明】
【技術分野】
【０００１】
この発明は、果実に被せて害虫による被害を防止する技術に関し、特に、イチジクの果実（以下、単に「イチジク」ともいう。）に被せてアザミウマ（「スリップス」とも称される。）による被害を防止する技術に関する。
【背景技術】
【０００２】
従来、イチジクの栽培農家では、イチジクの果実がアザミウマという非常に小さな害虫により多大な被害を受けるため、これを駆除すべく入念な殺虫剤の散布がなされている。
【０００３】
ところが、イチジクの木は、先に果実が熟す下方から１段、２段と多段に区画して果実が収穫されるところ、下から１段目、２段目は、殺虫剤を散布しても出荷できない程、果実が被害を受けるという問題や、殺虫剤による作業者の健康被害、殺虫剤の果実への残留が懸念されるという問題がある。
【０００４】
そこで、イチジクの果実に袋をかけて防虫を行うことが各地で行われるようになり、例えば、非特許文献１では、イチジクの果実に、空気穴の開いた有孔の透明ビニール袋や、梨用の防虫袋を改良した不透明な袋をかぶせ、ホッチキスで袋の開口部を閉じる防虫方法が提案されている。
【０００５】
この非特許文献１に係る防虫袋は、ホッチキスで開口部を閉じるため、１７分で１００枚をかけることができるという良好な作業効率を有するものである。
【先行技術文献】
【非特許文献】
【０００６】
【非特許文献１】晴耕雨読  毎日がイッパイイッパイ就農８年目日記  いちじく有袋栽培のまとめ、平成３０年４月２日検索、＜ＵＲＬ：ｈｔｔｐｓ://ｂｌｏｇｓ.ｙａｈｏｏ.ＣＯ.ＪＰ/ｎａｏｎ１０９９/６０１８２３２７.ｈｔｍｌ＞
【発明の概要】
【発明が解決しようとする課題】
【０００７】
しかし、非特許文献１の防虫方法は、ホッチキスで止めるため、取り外す際に袋が破れて再利用ができないという問題がある。加えて、袋の開口部を閉じるときは、効率よく閉じることができるものの、袋を取り外すときは、ホッチキスの針を外すのに時間がかかって効率が悪いという問題がある。
本発明は、上記課題に鑑みてなされたものであり、再利用が可能な、防虫カバーの提供を第１の課題とし、イチジクの果実に対する取り付け・取り外しの作業効率を向上させることを第２の課題とする。
【課題を解決するための手段】
【０００８】
上記課題を解決するためになされた発明は、イチジクの果実に被着して、アザミウマによる被害を防ぐイチジク用の防虫カバーであって、編地、又は織地からなり上下の両端が開口した筒状をなす筒状部と、前記筒状部の上下の一端の開口を封止する袋底と、前記筒状部の上下の他端の開口からなる挿入口とを備えることを特徴とする。
【０００９】
本発明の防虫カバーは、このように、編地、又は織地により形成したので、紙やナイロン等の袋に比べて丈夫なため繰り返し使用することができる。
【００１０】
前記筒状部は、前記挿入口に沿って周回状に設けられる、隣接する部分より伸縮性の高い線状又は帯状の口ゴム部を備えることが好ましい。こうすることで、イチジクに被せた際に、イチジクの頭と枝の間で口ゴム部が閉じるので、両手を離してもイチジクから脱落することがなく、防虫カバーの開口部を、両手を使って閉じることができるため、効率よく防虫カバーの取り付け作業ができる。
【００１１】
前記筒状部は、弾性糸を用いた編地、又は織地により形成されていることが好ましい。こうすることで、筒状部に伸縮性を持たせることができるため、被着対象のイチジクの果実の外径より筒状部の内径を小さくしておけば、イチジクの果実に被せるだけで、当該防虫カバーをイチジクの果実に対し脱落しないように被せることができ、また、イチジクの周面に筒状部が密着するため、開口部を閉塞しなくても開口部からのアザミウマの侵入を抑制できる。
【００１２】
前記筒状部が弾性糸を用いた編地、又は織地により形成される場合、前記袋底は、周辺の編地、又は織地の伸びを拘束する拘束手段を有することが好ましい。
アザミウマは、イチジクの果実のハトメ（底部の穴）の部分からその内部へ侵入するため、このように袋底に拘束手段を設けて、袋底周辺の編地や織地の伸長を抑えることにより、イチジクが成長して筒状部が周方向に伸び広がっても、その袋底周辺の編地や織地の部分は伸びが抑制されて編目や織目に隙間が生じることを抑制できるため、アザミウマがイチジクの果実のハトメに侵入することを抑制できる。
【００１３】
前記筒状部が弾性糸を用いた編地、又は織地により形成される場合、前記袋底は、前記筒状部の一方の端部が周方向に捻られて前記他方の端部側へ折り返された状態で前記筒状部の中間部分に連結されてなるようにしてもよい。こうすることで、袋底を２重にできるので、よりアザミウマの侵入を防ぐことができる。
【００１４】
本発明は、前記いずれかの防虫カバーと、前記防虫カバーの挿入口を閉じる閉じ具と
を備える閉じ具付防虫カバーを含む。前記閉じ具は、紐を２つ折り、又は、無端輪状に設けた閉じ紐と、輪状、又は筒状の固定具とを有し、前記、閉じ紐は、折返し部で折返した２本の紐を密着させた状態で前記固定具に挿通されており、前記固定具は、前記２本の紐に沿って摺動可能に構成されている。
閉じ具をこのような構造とすることで、閉じ紐の折返し部と固定具の間に形成される輪状部分に、防虫カバーの開口部を通し、固定具を紐本体の折返し部の方へ摺動させることで、筒状部の開口部を緩まないように閉じることができる。
【００１５】
本発明は、イチジクの果実に防虫カバーを被着して、アザミウマによる被害を防ぐイチジクの防虫方法であって、弾性糸を用いた編地、又は織地により上下の両端が開口した筒状に形成された筒状部の上下の一端の開口を封止して袋底とし上下の他端の開口を挿入口とするとともに、被着対象のイチジクの外径より内径の小さな防虫カバーを、前記袋底を前記イチジクの底部から離して前記イチジクに被着することを特徴とするイチジクの防虫方法を含む。
こうすることで、筒状部がイチジクの果実を周囲から締めつけてイチジクの頭の側からアザミウマが防虫カバーの袋底の方へ入り込むことを抑制できる。また、袋底をイチジクの底部から離間させることで、筒状部の袋底周縁の編地や織地が伸びることを抑制できるので、当該部分の編地や織地に隙間ができるのを抑制して、イチジクの果実の底部にアザミウマが浸入することを防止できる。
【００１６】
また、本発明は、イチジクの果実に防虫カバーを被着して、アザミウマによる被害を防ぐイチジクの防虫方法であって、弾性糸を用いた編地、又は織地により上下の両端が開口した筒状に形成されるとともに被着対象のイチジクの外径より内径の小さな筒状部を、上下の一端側から前記イチジクに被せて、前記筒状部の上下の他端側をイチジクの底部から離間した位置で封止することを特徴とするイチジクの防虫方法を含む。
このように、上下両端が開口した筒状部を、イチジクに被せたあとにイチジクの底部側となる開口を閉じて防虫カバーを形成するようにしてもよい。
【発明の効果】
【００１７】
以上説明したように、請求項１に係る防虫カバーは、再利用が可能で、かつ製造コストを低減できる。また請求項２に係る防虫カバーは、取り付け・取り外しの手間を低減できる。さらに、請求項３に係る防虫カバーによれば、防虫カバー内へのアザミウマの侵入を効果的に防ぐことができる。
【図面の簡単な説明】
【００１８】
【図１】本発明の第１実施形態に係る閉じ具付防虫カバーをイチジクに被せた状態を示す斜視図である。
【図２】図１に示した（ａ）防虫カバーの正面図、（ｂ）閉じ具の正面図である。
【図３】本発明の第２実施形態に係る防虫カバーの防虫カバーを示す正面図である。
【図４】本発明の第３実施形態に係る防虫カバーをイチジクに被せた状態を示す斜視図である。
【図５】本発明の第３実施形態に係る閉じ具付防虫カバーの（ａ）防虫カバーを示す正面図、（ｂ）閉じ具を示す正面図である。
【図６】本発明の第４実施形態に係る防虫カバーを示す（ａ）正面図、（ｂ）底面図である。
【図７】図６の防虫カバーの製造方法を示す説明図である。
【発明を実施するための形態】
【００１９】
以下、本発明の実施形態について説明する。ただし、本発明は、以下の実施形態に限られるものではない。
（第１実施形態）
図１は、本発明の第１実施形態に係る閉じ具付防虫カバー１００を示している。閉じ具付防虫カバー１００は、イチジクの果実に被着して、アザミウマによる被害を防ぐことを目的とするもので、防虫カバー１と、閉じ具２とを備えている。図１中、Ａはイチジクの果実を、Ｂはイチジクの木を、Ｃはイチジクの果実の底部を示している。
【００２０】
防虫カバー１は、図２（ａ）に示すように、上下の両端が開口した筒状に編成された筒状部１０と、筒状部１０の上下の一端の開口１０ａを封止する袋底１２と、筒状部１０の上下の他端の開口１０ｂからなる挿入口１１とを有している。
【００２１】
筒状部１０は、丸編み機、又は横編み機を用いて、編針に編糸を周回状に給糸することにより、上下の両端が開口した筒状に編成される。筒状部１０の編組織はアザミウマの侵入を防止できれば特に限定されないが、平編（天竺編）組織が、編成速度が速く、かつ隙間が少ない点で好ましい。また、筒状部１０を編成する編糸としては、特に限定されないが、ナイロンやポリエステル等の合成繊維糸が耐久性、耐候性に優れる点で好ましい。
【００２２】
袋底１２は、筒状部１０の上下の一端の開口１０ａをオーバーロックミシンにより閉塞するよう縫製して設けられる。防虫カバー１の挿入口１１は、筒状部１０の上下の他端側の開口１０ｂを開放したままにすることで設けられる。
尚、筒状部１０が前後一対に針床を備えた横編機により編成される場合には、筒状部１０を編成する前か、編成した後において、前後の針床にジグザグ状に編糸を給糸することで開口１０ａを封止して袋底１２を設けることができる。
【００２３】
閉じ具２は、図２（ｂ）に示すように、無端輪状に設けた閉じ紐２１と、筒状の固定具２２とを有している。閉じ紐２１は、例えば、筒状部１０と同時に編成された筒状編地を細幅に裁断することにより好適に形成される。閉じ紐２１は、一対の折返し部２１ａ，２１ａで折返した２本の紐２１ｂ，２１ｂを密着させた状態で固定具２２に挿通されており、固定具２２は、この２本の紐２１ｂ，２１ｂに沿って摺動して、図１に示すように、防虫カバー１の挿入口を閉塞した状態で固定するよう構成されている。本実施形態では、閉じ紐２１は輪状に限らず、１本の紐を２つ折りにしただけのものでもよく、固定具２２は筒状ではなく、輪状であってもよい。ここで、固定具２２の「筒状」は、軸垂直断面が、無端、有端いずれの環状でもよく、「輪状」も同様である。
【００２４】
閉じ具付防虫カバー１００を用いる場合は、木になったイチジクＡに、挿入口１１の側から、防虫カバー１を被せる。次に、閉じ具２の折返し部２１ａと固定具２２の間の２本の紐２１ｂ，２１ｂにより形成された輪状部２１ｃに、防虫カバー１を被ったイチジクＡを底部Ｃ側から通して、閉じ具２をイチジクの頭側で防虫カバー１に環装したら、固定具２２を摺動させて、防虫カバー１の挿入口１１を閉塞する。
【００２５】
閉じ具付防虫カバー１００は、防虫カバー１が、筒状編地により形成されているので、縫製箇所が少なく、製造コストが低減できる。また、防虫カバー１を編地により設けたので、丈夫で繰り返し使用することができる。
閉じ具２は、固定具２２を摺動するだけで防虫カバー１の挿入口１１を開閉できるので挿入口１１を閉じるときだけでなく、開くときも効率的である。また、防虫カバー１をイチジクＡから取り外す際に破損することがない。
【００２６】
（第２実施形態）
次に、本発明の第２実施形態について詳述する。ただし、第２実施形態以降の実施形態において、第１実施形態と共通する部材については、第１実施形態と同一符号を付して説明を省略する。
図３は、本発明の第２実施形態に係る防虫カバー２０１を示している。防虫カバー２０１は、挿入口１１に沿って、周回状に設けられる口ゴム部２１３を有している。口ゴム部２１３を編成する際は、例えば、筒状部１０の他の部分を編成する糸から、ポリウレタン弾性糸の単糸等に切り替えてリブ編みに編成することができる。この際、ポリウレタン単糸の代わりに、ポリウレタンの芯糸にナイロンやポリエステルをカバリングしたカバリングヤーンを用いてもよいし、リブ編以外の編み方でもよく、弾性糸のみで編成するのではなく、非弾性糸に弾性糸を添え編みして編成してもよい。口ゴム部２１３は、周囲より高い伸縮性により筒状部１０のその他の部分より小径となるよう設けられている。
【００２７】
防虫カバー２０１は、このように、口ゴム部２１３を有することで、イチジクに被せた際に、口ゴム部２１３がイチジクの頭の上で閉じるため、イチジクから脱落しにくい。
また、閉じ具２を用いる場合には、口ゴム部２１３により閉じ具２を適宜の位置に案内できるので、容易に挿入口１１を閉塞することができる。
【００２８】
（第３実施形態）
図４は、本発明の第３実施形態に係る防虫カバー３０１を示している。防虫カバー３０１は、膨らみ始めたばかりの小さいイチジクＡの外径よりもさらに小さい内径（例えば、φ２ｃｍ）を有している。防虫カバー３０１は、防虫カバー３０１のみで用いてもよいし図５（ｂ）に示した閉じ具３０２と合わせて用いてもよい。
【００２９】
防虫カバー３０１は、筒状部３１０が、ポリウレタン弾性糸の単糸により上下の両端に開口（３１０ａ，３１０ｂ）を有する筒状の平編組織に編成される。袋底３１２は、オーバーロックミシン、その他のミシンにより上下の一端側の開口３１０ａを縫合して形成した縫合部（拘束手段）３１２からなる。
袋底（縫合部、拘束手段）３１２は、筒状部３１０より伸縮性が乏しく、そのため、袋底３１２の周辺３１９において、編地が伸びないよう拘束する。
【００３０】
閉じ具３０２は、閉じ紐３２１と固定具３２２とからなる。閉じ紐３２１は、防虫カバー３０１の筒状部３１０と同じ弾性糸を用いて編成され、伸縮性を有している。
【００３１】
防虫カバー３０１をイチジクＡに被せる際には、イチジクＡが膨らみ始めのまだ小さいうちに被せる。防虫カバー３０１の内径は、そのような小さいイチジクＡよりもさらに小さい内径を有し、また、防虫カバー３０１の筒状部３１０は弾性を有するため、イチジクＡに被せた状態でイチジクＡに押し広げられると同時に、イチジクＡを周囲から締めつける。従って、防虫カバー３０１は、イチジクＡから脱落することがなく、また、イチジクＡの成長に合わせて伸長し、継続してイチジクＡを締めつける。これによりイチジクＡの頭側から底部側へアザミウマが浸入することを抑制できる。
また、防虫カバー３０１は、図４に示すように、袋底３１２がイチジクＡのハトメ（底部）Ｃから離間するようにして被せられる。こうすることで、筒状部３１０における袋底３１２の周辺３１９が伸びないようにして、当該部分の組織に隙間が生じることを抑制できる。
【００３２】
挿入口３１１を閉じ具３０２で閉じた場合、閉じ紐３２１は、弾性糸を用いて編成されることにより伸縮性を有するため、イチジクＡの成長に従って防虫カバー３０１と共に伸長する。
【００３３】
（第４実施形態）
図６、図７は、本発明の第４実施形態に係る防虫カバー４０１を示している。防虫カバー４０１は、上下の両端が開口した筒状に編成された筒状部４１０と、筒状部４１０の上下の一端の開口４１０ａを封止する袋底４１２と、筒状部４１０の上下の他端の開口４１０ｂからなる挿入口４１１と、口ゴム部４１３とを備えている。
【００３４】
袋底４１２は、図７（ａ）に示すように、筒状部４１０の上下の一端側の開口４１０ａを周方向に捻じったのち、最も細く捻れた最細部４１６より一端側の外側部分４１２ａを筒状部４１０の上下の他端側へ折返し、開口４１０ａを筒状部４１０の中間部分４１９に編合わせて編合線４１５を形成し、図７（ｂ）に示すように、互いに捻れ方向の異なる捻れ線４１７ａ，４１７ｂを有する外側部分４１２ａと内側部分４２１ｂとからなる二重構造に形成されている。
【００３５】
筒状部４１０は、口ゴム部４１３を除き、ポリウレタン弾性糸を芯糸としてナイロン糸やポリエステル糸をカバリングしたカバリングヤーンを用いて平編組織に編成されており、口ゴム部４１３は、筒状部４１０の上下の他端部をリブ編に編成したのち、当該リブ編の部分の半分を外側へ折返し、折返し前の開口部４１４を筒状部４１０に編合わせて二重組織に形成している。この口ゴム部４１３を形成したあとの開口４１０ｂが挿入口４１１となる。
特に、筒状部４１０は、片撚りのカバリングヤーンを用いてゾッキ編にすることが好ましく、こうすると、筒状部４１０の編地が捻じれて、より、イチジクＡに対するフィット感が増大する。また、こうすることで、例えば、φ２５ｍｍ程度の筒状編地を編むのが限界の丸編み機であっても、筒状部の径を２０ｍｍ程度にすることが可能になるなど、より細い筒状部を得ることができる。片撚りの向きは、Ｓ撚りでもＺ撚りでもよい。
【００３６】
防虫カバー４０１は、このように、袋底４１２が外側部分と４２１ａと内側部分４２１ｂとからなる二重構造に形成されていることによって、よりアザミウマがイチジクのハトメに侵入することを抑制できる。
【００３７】
（その他の実施形態）
以上、本発明の防虫カバー、閉じ具付防虫カバー、及び防虫方法は、上述した実施形態に限らず、例えば、筒状部は、丸編地や横編地ではなく、縦編地であってもよく、編地ではなく、織地であってもよく、筒状編地でなく、枚葉状の編地や織地を筒状に縫製してもよい。袋底は、筒状部の上下の一端側の開口近傍を錘状に窄めて紐で縛ったり結束テープで結束したりして、あるいは、当該開口部を一文字に閉じてクリップで挟みつけたりして当該開口を閉じるとともに、その周辺部を拘束するようにしてもよい。この場合、紐や、結束テープ、クリップ等が拘束手段となる。
【００３８】
また、本発明の防虫方法は、弾性糸で編成した筒状部を、その上下の一端側の開口を開いたままイチジクに被せたあと、紐やクリップ、結束テープ等で閉じて、袋底を設けるようにしてもよい。
【符号の説明】
【００３９】
イチジクの果実Ａ
防虫カバー１，２０１，３０１，４０１
筒状部１０，３１０，４１０
一端の開口１０ａ，３１０，４１０ａ
他端の開口１０ｂ，３１０ｂ，４１０ｂ
挿入口１１，３１１，４１１
袋底１２，４１２
閉じ具２，３０２
閉じ紐２１，３２１
折返し部２１ａ
折返し部で折返した紐２１ｂ
口ゴム部２１３，４１３
固定具２２，３２２
閉じ具付防虫カバー１００，３００
袋底（縫合部、拘束手段）３１２
袋底の周辺３１９
中間部分４１９
【図１】
2019180313.tif 000003
【図２】
2019180313.tif 000004
【図３】
2019180313.tif 000005
【図４】
2019180313.tif 000006
【図５】
2019180313.tif 000007
【図６】
2019180313.tif 000008
【図７】
2019180313.tif 000009